(57)【要約】【課題】ＷＥＢページの閲覧中における情報発信を迅速に行うことのできる電子機器を提供する。【解決手段】第１筐体１０１の下面と第２筐体１０２の上面１０２ａとが対向するようにスライド可能に配置されたスマートフォン１００であって、表示情報生成部３００は、第２筐体１０２の操作部１０４が第１筐体１０１により覆われる第１状態で、且つ、上記第１筐体１０１のメインディスプレイ１０３に、情報発信系のアプリケーションがリンク付けされたＷＥＢページを表示しているときに、上記筐体状態検知部３０１によって、第２筐体１０２の操作部１０４が露出された第２状態が検出されると、上記メインディスプレイ１０３に、表示中のＷＥＢページにリンク付けされた情報発信系のアプリケーションに対応付けられた情報発信用画面を表示するための表示情報を生成する。【選択図】図１
2012253519.tif 000002
【特許請求の範囲】
【請求項１】
ＷＥＢページを表示する表示部と、情報入力のための操作部と、上記操作部を覆うカバーとを備え、上記操作部が上記カバーに覆われる第１状態と、上記操作部が上記カバーに覆われず露出される第２状態とをとる電子機器であって、
上記第１状態と第２状態とのいずれの状態であるかを検出する状態検出手段と、
上記第１状態で、且つ、表示部に、情報発信系のアプリケーションがリンク付けされたＷＥＢページを表示しているときに、上記状態検出手段によって、第２状態が検出されると、上記表示部に、表示中のＷＥＢページにリンク付けされた情報発信系のアプリケーションに対応付けられた情報発信用画面を表示するための表示情報を生成する表示情報生成手段とを備えていることを特徴とする電子機器。
【請求項２】
ＷＥＢページ閲覧機能を有し、上面に表示部が形成された第１筐体と、上面に操作部が形成された第２筐体とを備え、上記第１筐体と第２筐体とが、当該第１筐体の下面と第２筐体の上面とが対向するように配置され、少なくとも一方の筐体が他方の筐体に対してスライドすることにより、第２筐体の操作部が第１筐体により覆われる第１状態と、第２筐体の操作部が露出される第２状態とをとる電子機器であって、
上記第１状態と第２状態とのいずれの状態であるかを検出する状態検出手段と、
上記第１状態で、且つ、上記第１筐体の表示部に、情報発信系のアプリケーションがリンク付けされたＷＥＢページを表示しているときに、上記状態検出手段によって、第２状態が検出されると、上記表示部に、表示中のＷＥＢページにリンク付けされた情報発信系のアプリケーションに対応付けられた情報発信用画面を表示するための表示情報を生成する表示情報生成手段とを備えていることを特徴とする電子機器。
【請求項３】
上記情報発信用画面は、表示部に表示中のＷＥＢページに対して行える情報発信系のアプリケーションを選択するための情報発信系アプリケーション選択画面であることを特徴とする請求項１または２に記載の電子機器。
【請求項４】
上記情報発信用画面は、予め起動設定した情報発信系アプリケーションの起動画面であることを特徴とする請求項１または２に記載の電子機器。
【請求項５】
上記情報発信用画面は、予め起動設定した情報発信系アプリケーションの文字入力画面であることを特徴とする請求項１または２に記載の電子機器。
【請求項６】
上記表示情報生成手段は、上記ＷＥＢページを解析して得られた情報を当該ＷＥＢページの内容を特定する特定情報とし、当該特定情報を含めて上記表示情報を生成することを特徴とする請求項１〜５の何れか１項に記載の電子機器。
【請求項７】
上記表示情報生成手段は、上記ＷＥＢページの選択された文字列を当該ＷＥＢページの内容を特定する文字列情報とし、当該文字列情報を含めて上記表示情報を生成することを特徴とする請求項１〜５の何れか１項に記載の電子機器。
【請求項８】
上記表示情報生成手段は、上記第２状態で、第１筐体の表示部に情報発信用画面が表示されているときに、上記状態検出手段によって、上記第１状態が検出されると、上記表示部、閲覧中のＷＥＢページが表示されるように、表示情報を生成することを特徴とする請求項１〜７の何れか１項に記載の電子機器。
【請求項９】
ＷＥＢページを表示する表示部を備えた第１電子機器と、当該第１電子機器と通信可能に接続された第２電子機器と、備え、当該第２電子機器は、情報入力のための操作部と、上記操作部を覆うカバーと、情報を表示する表示部とを備え、上記操作部が上記カバーに覆われる第１状態と、上記操作部が上記カバーに覆われず露出される第２状態とをとる情報入力システムであって、
上記第２電子機器は、
さらに、上記第１状態と第２状態とのいずれの状態であるかを検出する状態検出手段と、
上記第１状態で、且つ、上記第１電子機器の表示部に、情報発信系のアプリケーションがリンク付けされたＷＥＢページを表示しているときに、上記状態検出手段によって、第２状態が検出されると、上記第２電子機器の表示部に、上記第１電子機器の表示部に表示中のＷＥＢページにリンク付けされた情報発信系のアプリケーションに対応付けられた情報発信用画面を表示するための表示情報を生成する表示情報生成手段とを備えていることを特徴とする情報入力システム。
【請求項１０】
ＷＥＢページを表示する表示部と、情報入力のための操作部と、上記操作部を覆うカバーとを備え、上記操作部が上記カバーに覆われる第１状態と、上記操作部が上記カバーに覆われず露出される第２状態とをとる電子機器の表示制御方法であって、
上記第１状態で、且つ、表示部に、情報発信系のアプリケーションがリンク付けされたＷＥＢページを表示しているときに、第２状態が検出されると、上記表示部に、表示中のＷＥＢページにリンク付けされた情報発信系のアプリケーションに対応付けられた情報発信用画面を表示するための表示情報を生成することを特徴とする電子機器の表示制御方法。
【請求項１１】
ＷＥＢページ閲覧機能を有し、上面に表示部が形成された第１筐体と、上面に操作部が形成された第２筐体とを備え、上記第１筐体と第２筐体とが、当該第１筐体の下面と第２筐体の上面とが対向するように配置され、少なくとも一方の筐体が他方の筐体に対してスライドすることにより、第２筐体の操作部が第１筐体により覆われる第１状態と、第２筐体の操作部が露出される第２状態とをとる電子機器の表示制御方法であって、
上記第１状態で、且つ、上記第１筐体の表示部に、情報発信系のアプリケーションがリンク付けされたＷＥＢページを表示しているときに、第２状態が検出されると、上記表示部に、表示中のＷＥＢページにリンク付けされた情報発信系のアプリケーションに対応付けられた情報発信用画面を表示するための表示情報を生成することを特徴とする電子機器の表示制御方法。
【発明の詳細な説明】
【技術分野】
【０００１】
本発明は、ＷＥＢ（Ｗｏｒｌｄ Ｗｉｄｅ Ｗｅｂ）ページ閲覧機能を有する携帯端末等の電子機器に関する。
【背景技術】
【０００２】
近年、ＷＥＢページ閲覧機能の他に、電子メール送受信機能等の複数種類のアプリケーションが実行可能な携帯端末として、携帯電話、スマートフォンなどの電子機器が知られている。
【０００３】
このように、複数種類のアプリケーションを搭載した携帯端末では、利用者の利便性を向上させるための種々の工夫が施されている。
【０００４】
例えば特許文献１には、互いにスライド移動可能に接続された第１の筐体と第２の筐体とを備えた携帯端末において、筐体のスライド位置を検出し、検出したスライド位置に対応するアプリケーションを自動的に起動する点が開示されている。
【０００５】
また、特許文献２には、携帯端末において、自装置の姿勢に応じたアプリケーションを自動的に起動する点が開示されている。
【先行技術文献】
【特許文献】
【０００６】
【特許文献１】特開２００９−２５３７７２号公報（２００９年１０月２９日公開）
【特許文献２】特開２０１１−１８２７２号公報（２０１１年１月２７日公開）
【発明の概要】
【発明が解決しようとする課題】
【０００７】
ところで、通常、携帯電話やスマートフォンにおいて、ＷＥＢページ閲覧中の利用者が情報を発信しようとしたとき、Ｔｗｉｔｔｅｒ等の情報発信系のアプリケーショを起動させて、情報発信を行う。このように、ＷＥＢページ閲覧用のアプリケーションを起動しているときに、別のアプリケーションを起動させる場合、一旦、ＷＥＢページ閲覧用のアプリケーションを終了させるか、あるいはバックグランドで待機（サスペンド）させるかなどの処理を経てから、情報発信系のアプリケーションを起動させることになる。
【０００８】
例えば特許文献１，２に開示されている携帯端末のように、アプリケーションを自動的に起動させる場合であっても、目的とする情報発信系のアプリケーションを起動させるには、一旦、ＷＥＢページ閲覧用のアプリケーションを終了させるか、あるいはバックグランドで待機させるかなどの処理を経てから、情報発信系のアプリケーションを起動させることになる。
【０００９】
このように、従来の携帯端末では、利用者が情報を発信したいと考えてから、実際に情報を発信することができる状態になるまでに、上記のような処理を経る必要があるので、情報発信の即時性が十分でないという問題が生じる。
【００１０】
また、ＷＥＢページには、Ｔｗｉｔｔｅｒ等の情報発信系のアプリケーションを起動させるためのアイコンが埋め込まれ、このアイコンをクリックすることで、当該アイコンに対応したアプリケーションを起動させることができるＷＥＢページもある。
【００１１】
しかしながら、ＷＥＢページ上のアイコンをクリックして、情報発信系のアプリケーションを起動させたとしても、文字入力画面に移行させるには、種々の操作が必要になり、やはり、情報発信の即時性が十分でないという問題が生じる。
【００１２】
本発明は、上記の各問題点に鑑みなされたものであって、その目的は、ＷＥＢページの閲覧中における情報発信を迅速に行うことのできる電子機器を提供することにある。
【課題を解決するための手段】
【００１３】
本発明の電子機器は、上記の課題を解決するために、ＷＥＢページを表示する表示部と、情報入力のための操作部と、上記操作部を覆うカバーとを備え、上記操作部が上記カバーに覆われる第１状態と、上記操作部が上記カバーに覆われず露出される第２状態とをとる電子機器であって、上記第１状態と第２状態とのいずれの状態であるかを検出する状態検出手段と、上記第１状態で、且つ、表示部に、情報発信系のアプリケーションがリンク付けされたＷＥＢページを表示しているときに、上記状態検出手段によって、第２状態が検出されると、上記表示部に、表示中のＷＥＢページにリンク付けされた情報発信系のアプリケーションに対応付けられた情報発信用画面を表示するための表示情報を生成する表示情報生成手段とを備えていることを特徴としている。
【００１４】
上記の構成によれば、操作部がカバーに覆われる第１状態で、且つ、表示部に情報発信系のアプリケーションがリンク付けされたＷＥＢページを表示しているときに、上記状態検出手段によって、第２状態が検出されると、上記表示部に、表示中のＷＥＢページにリンク付けされた情報発信系のアプリケーションに対応付けられた情報発信用画面を表示することで、利用者は、表示部に表示された情報発信用画面に応じた操作を行い、情報の発信を行うことが可能となる。
【００１５】
これにより、ＷＥＢページ閲覧中の利用者は、電子機器が第２状態、すなわち操作部が露出した状態になるだけで、所望する情報発信系アプリケーションを用いて迅速に情報の発信を行うことができるという効果を奏する。
【００１６】
ここで、上記情報発信用画面としては、後述する「情報発信系アプリケーション選択画面」、「予め起動設定した情報発信系アプリケーションの起動画面」、「予め起動設定した情報発信系アプリケーションの文字入力画面」等がある。
【００１７】
本発明の電子機器は、上記の課題を解決するために、ＷＥＢページ閲覧機能を有し、上面に表示部が形成された第１筐体と、上面に操作部が形成された第２筐体とを備え、上記第１筐体と第２筐体とが、当該第１筐体の下面と第２筐体の上面とが対向するように配置され、少なくとも一方の筐体が他方の筐体に対してスライドすることにより、第２筐体の操作部が第１筐体により覆われる第１状態と、第２筐体の操作部が露出される第２状態とをとる電子機器であって、上記第１状態と第２状態とのいずれの状態であるかを検出する状態検出手段と、上記第１状態で、且つ、上記第１筐体の表示部に、情報発信系のアプリケーションがリンク付けされたＷＥＢページを表示しているときに、上記状態検出手段によって、第２状態が検出されると、上記表示部に、表示中のＷＥＢページにリンク付けされた情報発信系のアプリケーションに対応付けられた情報発信用画面を表示するための表示情報を生成する表示情報生成手段とを備えていることを特徴としている。
【００１８】
上記の構成によれば、第２筐体上面の操作部が第１筐体によって覆われた第１状態で、且つ、第１筐体上面の表示部に情報発信系のアプリケーションがリンク付けされたＷＥＢページを表示しているときに、上記状態検出手段によって、第２筐体上面の操作部が露出した第２状態が検出されると、上記表示部に、表示中のＷＥＢページにリンク付けされた情報発信系のアプリケーションに予め対応付けられた表示画面が表示されることで、利用者は、表示部に表示された情報発信用画面に応じて、露出した操作部を操作することが可能となる。
【００１９】
これにより、ＷＥＢページ閲覧中の利用者は、電子機器が第２状態、すなわち操作部が露出した状態になるだけで、所望する情報発信系アプリケーションを用いて迅速に情報の発信を行うことができるという効果を奏する。
【００２０】
ここで、上記情報発信用画面としては、後述する「情報発信系アプリケーション選択画面」、「予め起動設定した情報発信系アプリケーションの起動画面」、「予め起動設定した情報発信系アプリケーションの文字入力画面」等がある。
【００２１】
上記情報発信用画面は、表示部に表示中のＷＥＢページに対して行える情報発信系のアプリケーションを選択するための情報発信系アプリケーション選択画面であることを特徴としている。
【００２２】
この場合、情報発信用画面として、情報発信系アプリケーション選択画面を表示させることで、利用者は、所望の情報発信系アプリケーションを選択して、直ぐに情報発信（文字入力）できる。
【００２３】
つまり、情報発信系アプリケーション選択画面において、所望の情報発信系アプリケーションを選択した場合は、選択したアプリケーションを起動させ、当該アプリケーションの初期画面に遷移するようにすればよい。
【００２４】
また、情報発信系アプリケーション選択画面において、アプリケーションの選択肢は、よく使う項目が選択されやすいよう、順番や項目アイコンや文字の大きさ、色を変化させてもよい。例えば、表示画面の上から順に各アプリケーションに対応するアイコンが表示されている場合、使用頻度の高いアプリケーションに対応するアイコンが一番上に表示されるようにしてもよい。あるいは、使用頻度の高いアプリケーションに対応するアイコンの大きさを、他のアプリケーションに対応するアイコンの大きさよりも大きく目立つようにしてもよい。または、使用頻度の高いアプリケーションに対応するアイコンの色を、他のアプリケーションに対応するアイコンの色と異なる色にしてもよい。
【００２５】
上記情報発信用画面は、予め起動設定した情報発信系アプリケーションの起動画面であることを特徴としている。
【００２６】
この場合、情報発信用画面として、予め起動設定した情報発信系アプリケーションの起動画面を表示させることで、利用者は、起動した情報発信系アプリケーションの起動画面から、直ぐに情報発信（文字入力）するための文字入力画面に移行させることができる。
【００２７】
これにより、利用者は、所望の情報発信系アプリケーションを選択するという動作を行わずに、文字入力画面に迅速に移行させることができるので、ＷＥＢページの閲覧中における情報発信を迅速に行うことができるという効果を奏する。
【００２８】
上記情報発信用画面は、予め起動設定した情報発信系アプリケーションの文字入力画面であることを特徴としている。
【００２９】
この場合、情報発信用画面として、予め起動設定した情報発信系アプリケーションの文字入力画面を表示させることで、利用者は、直ぐに情報発信（文字入力）するための文字入力を行うことができる。
【００３０】
これにより、利用者は、所望の情報発信系アプリケーションを選択するという動作、起動中の情報発信系アプリケーションから文字入力画面に移行させるという動作を行わずに、文字入力を迅速に行うことができるという効果を奏する。
【００３１】
上記表示情報生成手段は、上記ＷＥＢページを解析して得られた情報を当該ＷＥＢページの内容を特定する特定情報とし、当該特定情報を含めて上記表示情報を生成することを特徴としている。
【００３２】
これにより、表示部に表示される表示情報に、ＷＥＢページの内容を特定する情報が含まれた状態で表示されることになるので、情報を発信する際の対象となる情報を明確にすることが可能となる。つまり、利用者が発信する情報が、当該利用者が閲覧しているＷＥＢページの内容についての情報であるということを明確にすることが可能となる。
【００３３】
上記ＷＥＢページの内容を特定する情報としては、ＷＥＢページ内に含まれているコメント、ハッシュタグ、ＵＲＬがある。
【００３４】
上記表示情報生成手段は、上記ＷＥＢページの選択された文字列を当該ＷＥＢページの内容を特定する文字列情報とし、当該文字列情報を含めて上記表示情報を生成することを特徴としている。
【００３５】
これにより、表示部に表示される表示情報に、ＷＥＢページの内容を特定する情報が含まれた状態で表示されることになるので、情報を発信する際の対象となる情報を明確にすることが可能となる。つまり、利用者が発信する情報が、当該利用者が閲覧しているＷＥＢページの内容についての情報であるということを明確にすることが可能となる。
【００３６】
上記表示情報生成手段は、上記第２状態で、第１筐体の表示部に情報発信用画面が表示されているときに、上記状態検出手段によって、上記第１状態が検出されると、上記表示部に、閲覧中のＷＥＢページが表示されるように、表示情報を生成することを特徴としている。
【００３７】
これにより、利用者は、情報発信が終了して、第２状態から第１状態にするだけで、閲覧中のＷＥＢページを再度閲覧することが可能となる。
【００３８】
本発明の情報入力システムは、ＷＥＢページを表示する表示部を備えた第１電子機器と、当該第１電子機器と通信可能に接続された第２電子機器と、備え、当該第２電子機器は、情報入力のための操作部と、上記操作部を覆うカバーと、情報を表示する表示部とを備え、上記操作部が上記カバーに覆われる第１状態と、上記操作部が上記カバーに覆われず露出される第２状態とをとる情報入力システムであって、上記第２電子機器は、さらに、上記第１状態と第２状態とのいずれの状態であるかを検出する状態検出手段と、上記第１状態で、且つ、上記第１電子機器の表示部に、情報発信系のアプリケーションがリンク付けされたＷＥＢページを表示しているときに、上記状態検出手段によって、第２状態が検出されると、上記第２電子機器の表示部に、上記第１電子機器の表示部に表示中のＷＥＢページにリンク付けされた情報発信系のアプリケーションに対応付けられた情報発信用画面を表示するための表示情報を生成する表示情報生成手段とを備えていることを特徴としている。
【００３９】
上記の構成によれば、利用者が、第２電子機器が第１状態（操作部がカバーにより覆われている状態）で、第１電子機器の表示部に表示されているＷＥＢページを閲覧しているときに、第２電子機器を第２状態（操作部が露出した状態）にすることにより、当該第２電子機器の表示部には、上記第１電子機器の表示部に表示中のＷＥＢページにリンク付けされた情報発信系のアプリケーションに対応付けられた情報発信用画面されるので、ＷＥＢページ閲覧中の利用者は、第２電子機器の表示部に表示された情報発信用画面に応じた操作を行い、情報の発信を行うことが可能となる。
【００４０】
具体的には、例えば第１電子機器としてパーソナルコンピュータ、第２電子機器としてスマートフォンとが通信可能に接続された状態で、且つスマートフォンが第１状態であるとき、利用者が、パーソナルコンピュータ側でＷＥＢページを閲覧中に、第１状態のスマートフォン１００を第２状態にすることで、当該パーソナルコンピュータ側で閲覧中のＷＥＢページに対する情報発信用画面が、上記スマートフォンのメインディスプレイに表示される。
【００４１】
これにより、パーソナルコンピュータに表示されているＷＥＢページ閲覧中の利用者は、スマートフォンを第２状態（操作部が露出した状態）にするだけで、当該スマートフォン側で、所望する情報発信系アプリケーションを用いて迅速に情報の発信を行うことができるという効果を奏する。
【発明の効果】
【００４２】
本発明の電子機器は、以上のように、ＷＥＢページ閲覧機能を有し、上面に表示部が形成された第１筐体と、上面に操作部が形成された第２筐体とを備え、上記第１筐体と第２筐体とが、当該第１筐体の下面と第２筐体の上面とが対向するように配置され、少なくとも一方の筐体が他方の筐体に対してスライドすることにより、第２筐体の操作部が第１筐体により覆われる第１状態と、第２筐体の操作部が露出される第２状態とをとる電子機器であって、上記第１状態と第２状態とのいずれの状態であるかを検出する状態検出手段と、上記第１状態で、且つ、上記第１筐体の表示部に、情報発信系のアプリケーションがリンク付けされたＷＥＢページを表示しているときに、上記状態検出手段によって、第２状態が検出されると、上記表示部に、表示中のＷＥＢページにリンク付けされた情報発信系のアプリケーションに対応付けられた情報発信用画面を表示するための表示情報を生成する表示情報生成手段とを備えていることで、ＷＥＢページ閲覧中の利用者は、迅速に情報の発信を行うことができるという効果を奏する。
【図面の簡単な説明】
【００４３】
【図１】本発明の実施の形態に係る表示情報生成部の概略構成ブロック図である。
【図２】図１に示す表示情報生成部を備えたスマートフォンの概略構成図であり、（ａ）は操作部が格納された状態を示し、（ｂ）は操作部が露出した状態を示す図である。
【図３】図２に示すスマートフォンの概略ブロック図である。
【図４】（ａ）〜（ｃ）は、図２に示すスマートフォンにおけるスライド連携機能を説明するための図である。
【図５】（ａ）は第１状態においてＷＥＢページを表示している状態を示し、（ｂ）は（ａ）の状態から第２状態に遷移したときに表示されるアプリケーション選択画面を示す図である。
【図６】（ａ）は第１状態においてＷＥＢページを表示している状態を示し、（ｂ）は（ａ）の状態から第２状態に遷移したときに起動されたアプリケーションの文字入力画面を示す図である。
【図７】（ａ）は第１状態においてＷＥＢページを表示している状態を示し、（ｂ）は（ａ）の状態から第２状態に遷移したときに起動されたアプリケーションの文字入力画面を示す図である。
【図８】本実施の形態にかかる表示情報生成部による、ＷＥＢページ閲覧時におけるスライド連携処理の流れを示すフローチャートである。
【発明を実施するための形態】
【００４４】
本発明の一実施の形態について説明すれば、以下の通りである。
【００４５】
なお、本実施の形態では、本発明の電子機器としてスマートフォンを例に説明する。なお、本実施の形態にかかるスマートフォンでは、少なくともＷＥＢページ閲覧機能、電子メールの送受信機能を有し、さらに、様々なアプリケーションを実行することができるものとする。
【００４６】
＜スマートフォンの外観＞
図２（ａ）（ｂ）は、本実施の形態にかかるスマートフォン１００の外観を示す。
【００４７】
上記スマートフォン１００は、図２（ａ）（ｂ）に示すように、第１筐体１０１と第２筐体１０２とが矢印方向にスライド可能に設けられている。すなわち、第１筐体１０１の下面と第２筐体１０２の上面１０２ａとが対向するように配置され、一方の筐体（例えば第１筐体１０１）が他方の筐体（例えば第２筐体１０２）に対してスライドするようになっている。
【００４８】
上記第１筐体１０１は、上面１０１ａにメインディスプレイ（表示部）１０３が形成されている。上記メインディスプレイ１０３は、液晶表示パネル、有機ＥＬパネル等からなり、電子メールの待受画面、電子メールの内容、インターネットから取得したＷＥＢページ等の各種情報を表示するようになっている。ここで、メインディスプレイ１０３に表示するための表示情報は、後述する表示情報生成部（表示情報生成手段）３００（図１）によって生成される。
【００４９】
上記メインディスプレイ１０３は、表示画面上にタッチパネルを搭載しており、利用者は、タッチ操作により各種の入力を行うようになっている。
【００５０】
上記第２筐体１０２は、上面１０２ａに１０４が形成されている。上記操作部１０４は、情報入力するためのものであって、一般的な携帯電話機におけるテンキーと同じ配列のキーが設けられている。しかしながら、操作部１０４におけるキーは、上記テンキー以外のキーであってもよい、例えば、パソコンなどのキーボードと同じ配列のキーであってもよい。
【００５１】
従って、本スマートフォン１００では、第１筐体１０１のメインディスプレイ１０３上に設けられたタッチパネルを操作することにより情報の入力が行える他、第２筐体１０２に設けられた操作部１０４を操作することによっても情報の入力が行えるようになっている。これにより、タッチパネルのみを搭載するスマートフォンに比べて、利用者の好みに応じた入力操作が行える。
【００５２】
上記第１筐体１０１と第２筐体１０２とは、当該第１筐体１０１の下面（図示せず）と、当該第２筐体１０２の上面１０２ａとが対向するように重ね合わされて、図２（ａ）（ｂ）に示す矢印方向に、相対的にスライドするように設けられている。なお、第２筐体１０２には、下面側に上記メインディスプレイ１０３とは異なるサブディスプレイ１０５（図３）が形成されている。
【００５３】
図２（ａ）は、第２筐体１０２が第１筐体１０１に完全に覆われた状態（以下、第１状態と称する）を示している。この第１状態では、少なくとも第２筐体１０２の上面１０２ａに形成された操作部１０４が第１筐体１０１によって完全に覆われていればよいので、第２筐体１０２の操作部１０４以外の部分が第１筐体１０１に重なり合う必要はない。
【００５４】
図２（ｂ）は、第１筐体１０１と第２筐体１０２とが相対的にスライドして、当該第２筐体１０２の上面１０２ａに形成された操作部１０４が完全に露出している状態（以下、第２状態と称する）を示している。この第２状態では、少なくとも第２筐体１０２の上面１０２ａに形成された操作部１０４が完全に露出していればよいので、第２筐体１０２の操作部１０４以外の部分の露出の程度は特に限定しない。
【００５５】
以上のことから、本実施の形態にかかるスマートフォン１００は、利用者の操作によって、少なくとも図２（ａ）に示す第１状態と、図２（ｂ）に示す第２状態との何れかの状態で使用されることになる。また、スマートフォン１００では、第１筐体１０１と第２筐体１０２とがスライド移動したことを検知するスライドセンサ２２５（図３）からの検知信号によって、第１状態であるのか、第２状態であるのかが後述する筐体状態検知部（状態検出手段）３０１によって特定される。
【００５６】
なお、本実施の形態にかかるスマートフォン１００では、図２（ａ）（ｂ）に示すように、第１筐体１０１と第２筐体１０２とが長手方向に相対的にスライド移動する例を示しているが、これに限定されるものではなく、第１筐体１０１と第２筐体１０２とが短手方向に相対的にスライド移動するような構成であってもよい。
【００５７】
＜スマートフォン１００の全体説明＞
図３は、上記スマートフォン１００の概略構成ブロック図を示す。
【００５８】
すなわち、上記スマートフォン１００は、図３に示すように、メイン制御部（メイン＋サブプロセッサ）２０１を中心として、通信制御部２０２、キー操作部２０３、キー状態感知部２０４、ＬＥＤ等表示部２０５、センサ制御部２０６、ＧＰＳ制御部２０７、カメラ制御部２０８、メインディスプレイ表示制御部２０９、メインディスプレイ操作部２１０、サブディスプレイ表示制御部２１１、音制御部２１２、電源制御部２１３、外部接続制御部２１４、内臓メモリ２１５、ＳＩＭカード制御部２１６を有している。
【００５９】
上記通信制御部２０２には、無線通信を行う無線部２１７と、有線通信を行う有線部２１８が接続されている。
【００６０】
上記無線部２１７は、様々な無線通信方式により、外部機器等とデータの送受信を行うようになっている。ここで、無線通信方式として、ＷｉＦｉ、キャリア網、Ｂｌｕｅｔｏｏｔｈ，Ｉｒ，ＧＰＳ、ＲＦリーダー、ＰＨＳなどを挙げることができる。
【００６１】
一方、上記有線部２１８は、様々な有線通信方式により、外部機器等とデータの送受信を行うようになっている。ここで、有線通信方式として、光通信、ＬＡＮ，電話回線、Ｉｒなどを挙げることができる。
【００６２】
上記無線部２１７、有線部２１８におけるデータの送受信制御は、上記通信制御部２０２によって行われ、受信したデータは、メイン制御部２０１に送られる。本実施の形態のスマートフォン１００では、少なくともネットワークを介して情報の送受信を行う機能を実現する必要がある。このネットワークを介して情報の送受信を行うためには、上記無線部２１７、有線部２１８、通信制御部２０２によって実現される。つまり、ネットワークを介して情報の送受信は、無線通信であっても、有線通信であってもよい。
【００６３】
ここでネットワークを介して情報の送受信を行うとは、例えばインターネットから取得したＷＥＢ情報を取得することや、Ｔｗｉｔｔｅｒ等の情報発信系のアプリケーションにより情報を発信することを含む。
【００６４】
上記キー操作部２０３は、図２（ｂ）に示す第２筐体１０２の操作部１０４に設けられたキー、スマートフォン１００本体に搭載された各種キー（電源ボタン、音量調整ボタン、ホームキー等）の操作を受け付けて、受け付けたキーに対応付けられた情報をメイン制御部２０１に送るようになっている。
【００６５】
上記キー状態感知部２０４は、スマートフォン１００に設けられた操作部１０４を含む各キーがロックされている否かを感知するようになっている。スマートフォン１００では、意図しないキー入力が行われることを防止するために、キー操作を受け付けないロック状態に設定することが可能である。つまり、キー状態感知部２０４は、キー操作の受け付けがロックされている状態を感知するようになっている。この感知した結果は、メイン制御部２０１に送るようになっている。
【００６６】
上記ＬＥＤ等表示部２０５は、電子メールの着信や、電話の着信を知らせるために使用される。
【００６７】
上記センサ制御部２０６は、スマートフォン１００に設けられた各種センサを制御する制御部である。図３では、各種センサの一つとして、第１筐体１０１と第２筐体１０２とがスライドしたことを検知するスライドセンサ２２５がセンサ制御部２０６に接続された例を示している。スライドセンサ２２５によって検出された検出信号（第１筐体１０１と第２筐体１０２とがスライドしたことを検出した信号）は、センサ制御部２０６を介して、メイン制御部２０１に送られる。このメイン制御部２０１には、後述するがメインディスプレイ１０３に表示する情報を生成するた表示情報生成部３００が設けられている。この表示情報生成部３００では、スライドセンサ２２５からの検出信号に応じて、表示情報を生成するようになっている。この表示情報生成部３００の詳細については後述する。
【００６８】
上記ＧＰＳ制御部２０７は、図示しないＧＰＳ受信機から取得したＧＰＳデータをメイン制御部２０１に送るようになっている。
【００６９】
上記カメラ制御部２０８は、図示しないカメラによって撮影された撮影データをメイン制御部２０１に送るようになっている。
【００７０】
上記メインディスプレイ表示制御部２０９は、メイン制御部２０１から送られる表示情報に応じた画像をメインディスプレイ１０３に表示させるようになっている。また、現時点でメインディスプレイ１０３に表示している表示情報を表示内容確認用データとして、メイン制御部２０１に送るようになっている。この表示内容確認用データは、メイン制御部２０１内の表示情報生成部３００において表示情報を作成するのに使用される。
【００７１】
上記メインディスプレイ操作部２１０は、メインディスプレイ１０３に搭載されたタッチパネルから入力操作を受け付け、受け付けた入力操作に対応付けられた情報をメイン制御部２０１に送るようになっている。
【００７２】
上記サブディスプレイ表示制御部２１１は、第２筐体１０２の操作部１０４の形成面とは反対側の面である下面に形成されたサブディスプレイ１０５の表示制御を行っている。このサブディスプレイ１０５は、通常、スマートフォン１００が第１の状態（図２（ａ）に示す状態）のときに、時計表示や電子メール着信などの簡単な情報を表示するディスプレイであり、液晶パネル、有機ＥＬパネル等のパネルを使用することが可能である。
【００７３】
上記音制御部２１２は、マイク２１９、スピーカ２２０が接続され、それぞれを制御するようになっている。
【００７４】
上記電源制御部２１３は、スマートフォン１００の電源としての電池２２１に接続されており、電池残量などをモニタリングして、モニタ結果をメイン制御部２０１に送るようになっている。これにより、電池残量をメイン制御部２０１経由で、例えばメインディスプレイ１０３に表示させることが可能となる。
【００７５】
上記外部接続制御部２１４は、２つのコネクタと、外部メモリ２２４とが接続されている。２つのコネクタのうち、一つは、ｍｉｃｒｏＵＳＢ接続用のコネクタ２２２であり、残りの一つは、ＨＤＭＩ接続用のコネクタ２２３である。
【００７６】
上記内臓メモリ２１５は、プログラムメモリ、ユーザメモリ、アドレス帳、端末設定メモリから構成されている。
【００７７】
上記プログラムメモリには、スマートフォン１００において実行可能なアプリケーションデータ、条件設定情報、履歴情報、位置情報が格納されている。
【００７８】
また、上記内臓メモリ２１５の端末設定メモリには、上述した表示情報生成部３００において生成するための画面情報が記憶されている。この画面情報の詳細については後述する。
【００７９】
上記ＳＩＭカード制御部２１６は、ＳＩＭカード（図示せず）がスマートフォン１００内の所定位置に挿入されているか否かを検知して、挿入されている場合には、ＳＩＭカードに記載された情報（利用者の携帯電話番号や契約者情報等）を読み取り、メイン制御部２０１に送り、内臓メモリ２１５のユーザメモリに記憶される。
【００８０】
上記構成のスマートフォン１００は、上述したように、第１筐体１０１と第２筐体１０２とを相対的にスライドさせることで、図２（ａ）に示す第１状態と、図２（ｂ）に示す第２状態とに切り替わるようになっている。この切り替わりのタイミングを利用して、第１筐体１０１のメインディスプレイ１０３に表示されている内容を切り替えている。つまり、本スマートフォン１００では、第１筐体１０１と第２筐体１０２のスライドに連携して、別の機能を実現できるように構成されている。以下にスライド連携機能について説明する。
【００８１】
＜スライド連携機能＞
図４（ａ）〜（ｃ）は、上記構成のスマートフォン１００におけるスライド連携機能を説明するための図である。
【００８２】
ここで、図４（ａ）に示す第１状態で、第１筐体１０１のメインディスプレイ１０３にＷＥＢページを表示しているときに、第１筐体１０１と第２筐体１０２とをスライドさせて、図４（ｂ）に示す第２状態にすれば、当該第１筐体１０１のメインディスプレイ１０３には、利用者が情報発信するための情報発信用画面が表示される。
【００８３】
上記情報発信用画面は、メインディスプレイ１０３に表示中のＷＥＢページにリンク付けされた情報発信系のアプリケーションに対応付けられた画面である。例えば、ＷＥＢページにリンク付けされた情報発信系のアプリケーションがＴｗｉｔｔｅｒであれば、第２状態でメインディスプレイ１０３に表示されるのは、図４（ｃ）に示すように、Ｔｗｉｔｔｅｒの文字入力画面１０３ａとなる。
【００８４】
具体的な処理としては、第１状態でメインディスプレイ１０３に表示されているＷＥＢページを解析して、情報発信系のアプリケーションのリンク先情報を抽出し、抽出したアプリケーションに予め対応付けていた画面を情報発信用画面として表示する。あるいは、上記ＷＥＢページに情報発信系のアプリケーションのリンク先情報が含まれていない場合には、利用者によって第２状態にしたときにメインディスプレイ１０３に表示させる画面を予め設定するようにしてもよい。
【００８５】
このようなスマートフォン１００におけるスライド連携機能は、図１に示す表示情報生成部３００によって実現できる。
【００８６】
＜表示情報生成部３００＞
上記表示情報生成部３００は、筐体状態検知部（状態検出手段）３０１、表示内容解析部３０２、画面情報取得部３０３、表示情報出力部３０４を含んでいる。
【００８７】
上記筐体状態検知部３０１は、センサ制御部２０６からの信号によって、第１筐体１０１と第２筐体１０２とが重なり合って、当該第２筐体１０２の操作部１０４が第１筐体１０１により覆われた第１状態であるか、第１筐体１０１と第２筐体１０２とがスライドして、第２筐体１０２の操作部１０４が露出した第２状態であるかを検知するようになっている。この検知した結果を示す検知信号は、後段の画面情報取得部３０３に送られる。
【００８８】
上記表示内容解析部３０２は、メインディスプレイ表示制御部２０９からの信号によって、第１筐体１０１のメインディスプレイ１０３に表示されている内容、すなわち表示内容を解析するようになっている。ここで、表示内容解析部３０２は、メインディスプレイ１０３に表示されているＷＥＢページの解析するようになっている。この解析した結果を示す解析信号は、後段の画面情報取得部３０３に送られる。
【００８９】
上記表示内容解析部３０２は、ＷＥＢページを解析することで、Ｔｗｉｔｔｅｒ、ｍｉｘｉ等の情報発信系のアプリケーションを起動させるためのＷＥＢページへのリンクを抽出し、その結果を解析信号として画面情報取得部３０３に送るようになっている。例えば、表示内容解析部３０２は、リンクが抽出できれば、リンク情報を含む信号を解析信号として画面情報取得部３０３に送り、リンクが抽出できなければ、当該ＷＥＢページにはリンクが無いことを示す情報を含む信号を解析信号として画面情報取得部３０３に送る。
【００９０】
上記画面情報取得部３０３は、筐体状態検知部３０１からの検知信号と、表示内容解析部３０２からの解析信号とに基づいて、メインディスプレイ１０３に表示すべき情報発信用画面を表示するための画面情報を内臓メモリ２１５から取得するようになっている。
【００９１】
ここで、画面情報取得部３０３は、筐体状態検知部３０１からの検知信号が第２状態を示す検知信号であり、表示内容解析部３０２からの解析信号が情報発信系のアプリケーションを起動させるためのＷＥＢページへのリンク情報を含む解析信号である場合には、内臓メモリ２１５から、当該リンクに対応するアプリケーションの起動メニュー画面あるいは当該リンクに対応するアプリケーションにおける文字入力画面を情報発信用画面として表示させるための画面情報を取得する。
【００９２】
また、画面情報取得部３０３は、筐体状態検知部３０１からの検知信号が第２状態を示す検知信号であり、表示内容解析部３０２からの解析信号が情報発信系のアプリケーションを起動させるためのＷＥＢページへのリンク情報が含まれていない解析信号である場合には、内臓メモリ２１５から、予め利用者によって設定されたアプリケーションの起動メニュー画面あるいは予め利用者によって設定されたアプリケーションにおける文字入力画面を情報発信用画面として表示させるための画面情報を取得する。
【００９３】
画面情報取得部３０３が取得した上述の画面情報は、後段の表示情報出力部３０４に送られる。
【００９４】
上記表示情報出力部３０４は、受け取った画面情報から、情報発信用画面を表示するための表示情報を生成し、メインディスプレイ表示制御部２０９に出力するようになっている。
【００９５】
上記メインディスプレイ表示制御部２０９は、受け取った表示情報から、情報発信用画面を上記メインディスプレイ１０３に表示させる。
【００９６】
上記の情報発信用画面としては、上述したように、情報発信系アプリケーションの起動メニュー画面、あるいは情報発信系アプリケーションにおける文字入力画面がある。ここで、選択可能な情報発信系アプリケーションが複数ある場合には、上記起動メニュー画面として、アプリケーションの選択画面を選択するための選択画面（例えば図５（ｂ））が表示される。
【００９７】
これらの情報発信用画面は、利用者が予め設定してもよいし、電子機器本体においてＷＥＢページを解析して自動的に設定するようにしてもよい。
【００９８】
このように、第１筐体１０１と第２筐体１０２とを重ね合わせて第１の状態（以下の説明では、「文字入力部を閉じた状態」と称する）でＷＥＢページを閲覧中に、第１筐体１０１と第２筐体１０２とをスライドさせて第２の状態（以下の説明では、「文字入力部を開いた状態」と称する）にすると、第１筐体１０１のメインディスプレイ１０３に情報発信用画面が表示されるので、利用者はすぐに情報発信（文字入力）できる。
【００９９】
以下に、本スマートフォン１００におけるスライド連携機能により情報発信用画面を表示するための処理について説明する。ここでは、情報発信用画面として、「情報発信系アプリケーション選択画面」、「予め起動設定した情報発信系アプリケーションの起動画面」、「予め起動設定した情報発信系アプリケーションの文字入力画面」の例について説明する。
【０１００】
＜スライド連携機能：情報発信系アプリケーション選択画面表示＞
図５（ａ）は、第１状態におけるメインディスプレイ１０３に表示されたＷＥＢページの表示例を示し、図５（ｂ）は、第２状態におけるメインディスプレイ１０３に表示された情報発信系アプリケーションの選択画面の表示例を示している。
【０１０１】
図５（ａ）では、メインディスプレイ１０３に表示されているＷＥＢページ内に、情報発信系のアプリケーションに相当するアイコン群１０３ｂが含まれている例を示している。
【０１０２】
上記アイコン群１０３ｂには、情報発信系のアプリケーションに相当するアイコンとして、Ｔｗｉｔｔｅｒ、ｍｉｘｉ、Ｆａｃｅｂｏｏｋ、ｅｖｅｒｎｏｔｅの各アイコンが含まれている。
【０１０３】
このアイコン群１０３ｂに含まれるアイコンに対応するように、図５（ｂ）では、各情報発信系アプリケーション選択用のアイコンが情報発信用画面として表示されている。
【０１０４】
ここで、利用者が例えばＴｗｉｔｔｅｒのアイコンを選択すれば、Ｔｗｉｔｔｅｒの起動画面または、文字入力画面が表示される。このとき、Ｔｗｉｔｔｅｒの文字入力画面には、閲覧中のＷＥＢページを特定できるような情報（ハッシュタグ、ＵＲＬ等）もあわせて表示するようになっている。これにより、情報を発信する利用者が何について情報を発信しているのかをＴｗｉｔｔｅｒの閲覧者に知らせるようにしている。
【０１０５】
なお、上記の説明では、閲覧中のＷＥＢページに含まれているリンクされた情報発信系のアプリケーションに対応するアイコンをアプリケーション選択用のアイコンとして表示させる例について説明しているが、これに限定されるものではなく、ＷＥＢページに含まれていない情報発信系のアプリケーション選択用のアイコンを表示するようにしてもよい。
【０１０６】
以上、上記スライド連携機能によれば、メインディスプレイ１０３は、図５（ａ）に示す第１状態におけるＷＥＢページ表示画面から、スマートフォン１００を構成する２つの筐体をスライドさせて、操作部１０４を露出させた第２状態にすることで、図５（ｂ）に示す情報発信系アプリケーションの選択画面に切り替わる。
【０１０７】
利用者は、図５（ｂ)に示す選択画面から所望のアプリケーションを選択して起動させることで、文字入力を行い、情報発信を行う。
【０１０８】
このように、情報発信用画面として、情報発信系アプリケーション選択画面を表示させることで、利用者は、所望の情報発信系アプリケーションを選択して、直ぐに情報発信（文字入力）できる。
【０１０９】
つまり、情報発信系アプリケーション選択画面において、所望の情報発信系アプリケーションを選択した場合は、選択したアプリケーションを起動させ、当該アプリケーションの初期画面に遷移するようにすればよい。
【０１１０】
また、情報発信系アプリケーション選択画面において、アプリケーションの選択肢は、よく使う項目が選択されやすいよう、順番や項目アイコンや文字の大きさ、色を変化させてもよい。例えば、表示画面の上から順に各アプリケーションに対応するアイコンが表示されている場合、使用頻度の高いアプリケーションに対応するアイコンが一番上に表示されるようにしてもよい。あるいは、使用頻度の高いアプリケーションに対応するアイコンの大きさを、他のアプリケーションに対応するアイコンの大きさよりも大きく目立つようにしてもよい。または、使用頻度の高いアプリケーションに対応するアイコンの色を、他の他のアプリケーションに対応するアイコンの色と異なる色にしてもよい。
【０１１１】
ところで、利用者によっては、情報発信は常に同じアプリケーションで行うことを希望している場合も想定される。例えば、情報発信は、常にＴｗｉｔｔｅｒで行うことを考えている利用者も想定される。このような場合には、情報発信を行うためのアプリケーションを利用者が事前に設定するようにしてもよい。
【０１１２】
＜スライド連携機能：予め起動設定した情報発信系アプリケーションの起動画面表示＞
利用者が事前設定する場合、単純に情報発信系アプリケーションを設定すれば、当該情報発信系アプリケーションの起動画面が表示される。
【０１１３】
利用者は、起動画面から、当該アプリケーションにおける所望の操作を選択することができる。この操作には、文字入力操作も含まれるので、この操作を選択することで、文字入力操作、すなわち情報発信を行うことができる。
【０１１４】
また、情報発信の即時性を希望する場合、第２状態になったときには、所望する情報発信系アプリケーションにおける文字入力画面が直ぐに立ち上がるにようにすることが好ましい。
【０１１５】
＜スライド連携機能：予め起動設定した情報発信系アプリケーションの文字入力画面表示＞
すなわち、図５（ａ）に示すようなＷＥＢページの閲覧時に、筐体をスライドさせて第２状態にしたとき、図５（ｂ）に示すようなアプリケーションの選択画面ではなく、例えば図４（ｃ）に示すようなＴｗｉｔｔｅｒの文字入力画面が表示されるようにしてもよい。
【０１１６】
このように、第１状態でＷＥＢページ閲覧中に、何かつぶやきたいとき、第２状態にするだけで、文字入力画面に切り替わるので、情報発信の即時性を向上させることができる。
【０１１７】
ところで、情報発信を行う場合、何に対しての情報発信なのかを明確にしないと、情報を受け取った側で適切な返信を行うことができない。
【０１１８】
従って、情報発信を行う場合には、何に対しての情報発信であるかを明確にする必要がある。ここでは、ＷＥＢページ閲覧中の情報発信なので、当該ＷＥＢページの内容を特定できるような情報を、文字入力画面に表示させた状態で、利用者が文字入力を行うようにする例について以下に説明する。なお、設定された情報発信系アプリケーションは、Ｔｗｉｔｔｅｒとする。
【０１１９】
＜ＷＥＢページ特定情報挿入（１）：ＷＥＢページ解析＞
例えば、図６（ａ）に示すように、メインディスプレイ１０３に情報発信系のアプリケーションに相当するアイコン群１０３ｂが含まれたＷＥＢページが表示されている場合、当該ＷＥＢページを解析すれば、当該ＷＥＢページに表示されている内容に関するコメントやハッシュタグを抽出することができる。これにより、スマートフォン１００の筐体をスライドさせることで、図６（ｂ）に示すように、メインディスプレイ１０３に、抽出したコメントやハッシュタグをつけて、Ｔｗｉｔｔｅｒの文字入力画面１０３ａを表示するようにする。これにより、利用者は、即時に文字入力を行い、情報を発信することができる。
【０１２０】
具体的には、表示情報生成部３００は、表示内容解析部３０２によって、第１筐体１０１のメインディスプレイ１０３に表示しているＷＥＢページを解析して得られた情報を当該ＷＥＢページの内容を特定する特定情報とし、当該特定情報を含めて上記表示情報を生成し、メインディスプレイ表示制御部２０９に出力するようになっている。
【０１２１】
これにより、メインディスプレイ１０３に表示されるＴｗｉｔｔｅｒの文字入力画面１０３ａには、ＷＥＢページの内容を特定する情報が表示されることになるので、情報を発信する際の対象となる情報を明確にすることが可能となる。つまり、利用者が発信する情報が、当該利用者が閲覧しているＷＥＢページの内容についての情報であるということを明確にすることが可能となる。
【０１２２】
上記ＷＥＢページの内容を特定する情報としては、ＷＥＢページ内に含まれているコメント、ハッシュタグ、ＵＲＬがある。
【０１２３】
この場合、表示情報生成部３００内の表示内容解析部３０２が自動的に、現在メインディスプレイ１０３に表示されているＷＥＢページの表示内容に対応するコメントやハッシュタグ、ＵＲＬを抽出するようにしているが、これに限定されるものではなく、以下に示すように、利用者自身がＷＥＢページ内の適当な箇所の文字を選択して、選択文字を文字入力画面１０３ａに表示するようにしてもよい。
【０１２４】
＜ＷＥＢページ特定情報挿入（１）：ＷＥＢページ内の選択された文字＞
すなわち、図７（ａ）に示すように、メインディスプレイ１０３に表示されているＷＥＢページ本文中の文字を選択し、スマートフォン１００の筐体をスライドすると、図７（ｂ）に示すように、メインディスプレイ１０３に、選択した文字をつけて、Ｔｗｉｔｔｅｒの文字入力画面１０３ａを表示するようにする。これにより、利用者は、即時に文字入力を行い、情報を発信することができる。
【０１２５】
具体的には、表示情報生成部３００は、第１筐体１０１のメインディスプレイ１０３に表示されているＷＥＢページの利用者によって選択された文字列を当該ＷＥＢページの内容を特定する文字列情報とし、当該文字列情報を含めて上記表示情報を生成し、メインディスプレイ表示制御部２０９に出力するようになっている。
【０１２６】
これにより、メインディスプレイ１０３に表示されるＴｗｉｔｔｅｒの文字入力画面１０３ａには、ＷＥＢページの内容を特定する情報が表示されることになるので、情報を発信する際の対象となる情報を明確にすることが可能となる。つまり、利用者が発信する情報が、当該利用者が閲覧しているＷＥＢページの内容についての情報であるということを明確にすることが可能となる。
【０１２７】
以上、上記構成のスマートフォン１００は、第１状態から第２状態に遷移した場合に、情報発信の即時性を向上させるために、第１筐体１０１のメインディスプレイ１０３に情報発信系アプリケーションの文字入力画面を表示させるようになっているが、この状態から、第１状態に遷移させた場合、元々表示していたＷＥＢページを再度上記メインディスプレイ１０３に表示させるようにしてもよい。
【０１２８】
具体的には、表示情報生成部３００は、第２状態で、第１筐体１０１のメインディスプレイ１０３に情報発信用画面として文字入力画面が表示されているときに、上記筐体状態検知部３０１によって、上記第１状態が検出されると、上記メインディスプレイ１０３に、閲覧中のＷＥＢページが表示されるように、表示情報を生成する。
【０１２９】
これにより、利用者は、情報発信が終了して、第２状態から第１状態にするだけで、閲覧中のＷＥＢページを再度閲覧することが可能となる。
【０１３０】
＜スライド連携処理の説明＞
ここで、上記構成のスマートフォン１００におけるスライド連携処理の流れについて、図８に示すフローチャートを参照しながら以下に説明する。
【０１３１】
まず、文字入力形態への移行を検知したか否かを判断する（ステップＳ１１）。ここで文字入力形態とは、第２筐体１０２の操作部１０４が露出した状態（第２状態）をいう。つまり、第１筐体１０１と第２筐体１０２とがスライド移動したことを検知するスライドセンサ２２５からの検知信号によって、第２状態であると筐体状態検知部３０１によって特定される。すなわち、表示情報生成部３００内の筐体状態検知部３０１によって、スマートフォン１００の第１筐体１０１と第２筐体１０２とがスライドして、第２筐体１０２の操作部１０４が露出された状態になったか否かが検知される。
【０１３２】
ここで、検知されない場合には、ステップＳ２５に移行して、通常処理に移行する。
【０１３３】
一方、検知された場合には、指定起動アプリケーションが設定されているか否かを判断する（ステップＳ１２）。具体的には、画面情報取得部３０３が内臓メモリ２１５にアプリケーション設定情報が含まれているか否かを確認する。
【０１３４】
ここで、指定起動アプリケーションが設定されていれば、ステップＳ１８に移行して、指定されたアプリケーションを分析する。
【０１３５】
アプリケーションの分析とは、アプリケーションを実行する際に必要な情報や状況を分析し、パスワードの確認やそのスマートフォン１００に最適な状態で表示・起動するように事前確認を行うことを示している。具体的には、（１）利用者情報（ＩＤやパスワード）が事前に設定されているのか、（２）スマートフォン１００内のシステムがアプリケーションを実行できる状態なのか（メモリ状況、ネットワーク状況の確認）、（３）スマートフォン１００の表示設定の確認(フォントサイズや、メインディスプレイ１０３のスペック確認）を行う。
【０１３６】
一方、指定起動アプリケーションが設定されていなければ、現在表示されているＷＥＢページを分析して、アプリケーションのリンク先を確認する（ステップＳ１３）。ここでは、表示情報生成部３００内の表示内容解析部３０２によって、表示中のＷＥＢページの内容を解析する。
【０１３７】
次に、表示するアプリケーションが設定されているか否かを判断する（ステップＳ１４）。ここでは、解析した結果得られたリンクに対応するアプリケーションが設定されているか否かを判断する。
【０１３８】
ここで、設定されていなければ、ステップＳ１６に移行して、全てのアプリケーションを表示した後、ステップＳ１７に移行して、利用者によってアプリケーションが指定される。ここでは、利用者は、情報発信系アプリケーションが全て表示され、その中から所望のアプリケーションを指定することになる。
【０１３９】
一方、表示するアプリケーションが設定されていれば、予め設定されたアプリケーションを表示する（ステップＳ１５）。
【０１４０】
その後、表示されたアプリケーションの中から所望のアプリが指定される（ステップＳ１７）。
【０１４１】
そして、指定されたアプリケーションの分析が行われ（ステップＳ１８）、指定文字列を分析する（ステップＳ１９）。
【０１４２】
指定文字列の分析とは、指定されたアプリケーションにおける文字列の仕様（規格や表示するスマートフォン１００に該当するフォントがあるか）を分析し、分析結果を起動するアプリケーションに渡すことを示している。ここで、文字列の仕様のうち、規格とは、文字種（Ｕｎｉｃｏｄｅ、日本語Ｓｈｉｆｔ−ｊｉｓ、・・・）、絵文字、グラフィックなどをいう。
【０１４３】
次に、入力コメント、ハッシュタグが入力された状態で指定アプリケーションを起動する（ステップＳ２０）。ここでは、表示内容解析部３０２によって解析された表示中のＷＥＢページ内に含まれたコメント、ハッシュタグが入力される。
【０１４４】
続いて、指定アプリケーション（アプリケーション（１））を利用し（ステップＳ２１）、指定アプリケーション（アプリケーション（１））を終了する（ステップＳ２２）。
【０１４５】
そして、文字入力形態の終了か否かが判断される（ステップＳ２３）。
【０１４６】
ここで、文字入力形態の終了であると判断されれば、閲覧状態のブラウザを表示し（ステップＳ２４）、通常処理へ移行する（ステップＳ２５）。
【０１４７】
一方、文字入力形態の終了でなければ、指定された元のアプリケーション（ブラウザ表示）へ移行する特殊操作を行うか否かが判断される（ステップＳ２６）。
【０１４８】
特殊操作とは、アプリケーションを起動する前のＷＥＢ閲覧状態に戻る際の、パスワード入力などの操作をいう。
【０１４９】
ここで、特殊操作を行うと判断されれば、文字入力形態の終了であると判断され、閲覧状態のブラウザを表示し（ステップＳ２４）、通常処理へ移行する（ステップＳ２５）。
【０１５０】
一方、特殊操作を行わないと判断されれば、そのまま、ステップＳ２５に移行して、通常処理へ移行する。
【０１５１】
以上のように、本実施の形態に係るスマートフォン１００によれば、第２筐体１０２上面１０２ａの操作部１０４が第１筐体１０１によって覆われた第１状態で、且つ、第１筐体１０１上面のメインディスプレイ１０３に情報発信系のアプリケーションがリンク付けされたＷＥＢページを表示しているときに、表示情報生成部３００内の筐体状態検知部３０１によって、第２状態が検出されると、上記メインディスプレイ１０３に、表示中のＷＥＢページにリンク付けされた情報発信系のアプリケーションに予め対応付けられた表示画面（文字入力画面等）が表示されることで、利用者は、メインディスプレイ１０３に表示された情報発信用画面に応じて、露出した操作部１０４を操作することが可能となる。
【０１５２】
これにより、ＷＥＢページ閲覧中の利用者は、スマートフォン１００が第１状態から第２状態にするだけで、所望する情報発信系アプリケーションを用いて迅速に情報の発信を行うことができる。
【０１５３】
ところで、上記の説明では、スマートフォン１００のメインディスプレイ１０３にＷＥＢページが表示された場合の情報発信について述べたが、本発明はこれに限定されるものではなく、例えば、スマートフォン１００（第２電子機器）とパーソナルコンピュータ（第１電子機器）（以下、ＰＣと称する）とが通信可能に接続された状態で、且つ、スマートフォン１００が第１状態、そして、ＰＣ側でＷＥＢページを閲覧しているときに、第１状態のスマートフォン１００を第２状態にすることにより、当該ＰＣ側で閲覧中のＷＥＢページに対する情報発信用画面を、上記スマートフォン１００のメインディスプレイ１０３に表示させるようにしてもよい。
【０１５４】
つまり、ＷＥＢページを表示する表示部を備えたＰＣと、上記構成のスマートフォン１００とが通信可能に接続された情報入力システムにおいても、本願発明を適用することが可能である。
【０１５５】
ここで、スマートフォン１００とＰＣとのが通信可能に接続された状態とは、スマートフォン１００とＰＣとが無線ＬＡＮ、キャリア網、Ｂｌｕｅｔｏｏｔｈなどで接続またはリンクされた状態をいう。上記接続とは、相互にデータ通信が可能な状態でスマートフォン１００とＰＣとが繋がった状態をいい、上記リンクとは、スマートフォン１００とＰＣとが同じ表示画面やデータをそれぞれ共有している状態をいう。
【０１５６】
上記の構成によれば、スマートフォン１００が第１状態であるとき、利用者が、ＰＣ側でＷＥＢページを閲覧中に、第１状態のスマートフォン１００を第２状態にすることで、当該ＰＣ側で閲覧中のＷＥＢページに対する情報発信用画面が、上記スマートフォン１００のメインディスプレイ１０３に表示される。
【０１５７】
これにより、ＰＣに表示されているＷＥＢページ閲覧中の利用者は、スマートフォン１００を第２状態（操作部１０４が露出した状態）にするだけで、当該スマートフォン１００側で、所望する情報発信系アプリケーションを用いて迅速に情報の発信を行うことができるという効果を奏する。
【０１５８】
なお、本実施の形態では、スマートフォン１００を第１状態から第２状態にするために、第１筐体１０１と第２筐体１０２とをスライドさせて実現しているが、これに限定されるものではなく、第１状態を、操作部１０４が露出していない状態、第２状態を、操作部１０４が露出している状態と考えた場合に、当該操作部１０４を覆うカバーを設けて、カバーの開閉により、第１状態と第２状態とを切り替えるようにしてもよい。
【０１５９】
本実施の形態では、本発明の電子機器としてスマートフォンを例に説明したが、これに限定されるものではなく、例えば、ＷＥＢページ閲覧が可能な携帯電話、ＰＤＡ等の携帯端末等に適用してもよい。
【０１６０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１６１】
本発明は、ＷＥＢページ閲覧が可能な携帯電話、ＰＤＡ等の携帯端末等に利用することができる。
【符号の説明】
【０１６２】
１００  スマートフォン（電子機器）
１０１  第１筐体
１０１ａ  上面
１０２  第２筐体
１０２ａ  上面
１０３  メインディスプレイ（表示部）
１０３ａ  文字入力画面
１０３ｂ  アイコン群
１０４  操作部
１０５  サブディスプレイ
２０１  メイン制御部
２０２  通信制御部
２０３  キー操作部
２０４  キー状態感知部
２０５  ＬＥＤ等表示部
２０６  センサ制御部
２０７  ＧＰＳ制御部
２０８  カメラ制御部
２０９  メインディスプレイ表示制御部
２１０  メインディスプレイ操作部
２１１  サブディスプレイ表示制御部
２１２  音制御部
２１３  電源制御部
２１４  外部接続制御部
２１５  内臓メモリ
２１６  ＳＩＭカード制御部
２１７  無線部
２１８  有線部
２１９  マイク
２２０  スピーカ
２２１  電池
２２２  コネクタ
２２３  コネクタ
２２４  外部メモリ
２２５  スライドセンサ
３００  表示情報生成部（表示情報生成手段）
３０１  筐体状態検知部（状態検知手段）
３０２  表示内容解析部
３０３  画面情報取得部
３０４  表示情報出力部
【図１】
2012253519.tif 000003
【図２】
2012253519.tif 000004
【図３】
2012253519.tif 000005
【図４】
2012253519.tif 000006
【図５】
2012253519.tif 000007
【図６】
2012253519.tif 000008
【図７】
2012253519.tif 000009
【図８】
2012253519.tif 000010